(57)【要約】【構成】イメージャ１６は、撮像面で捉えられたシーンを表す生画像データを出力する。出力された生画像データは、前処理回路２０および後処理回路３４の処理を経てＹＵＶ形式の画像データに変換される。ＣＰＵ２６は、単写モードの下でのシャッタボタン２８ｓｈの全押しに応答して１フレームの画像データを取得し、連写モードの下でのシャッタボタン２８ｓｈの全押しに応答して６フレームの画像データを取得する。ＣＰＵ２６はまた、単写モードの下での画像データの記録処理の途中でシャッタボタン２８ｓｈが操作されたとき、撮像モードが誤設定されたとみなし、不足する５フレームの画像データを取得するべく連写モードの下での取得処理に移行する。この結果、取得処理は単写モードから連写モードに引き継がれる。【効果】操作性が向上する。【選択図】図２
2014143604.tif 000002
【特許請求の範囲】
【請求項１】
撮像面で捉えられたシーンを表す電子画像を出力する撮像手段、
第１撮像モードの下での撮像操作に応答してＭ個（Ｍ：１以上の整数）の電子画像を前記撮像手段から取得する第１取得手段、
第２撮像モードの下での前記撮像操作に応答してＮ個（Ｎ：Ｍを上回る整数）の電子画像を前記撮像手段から取得する第２取得手段、および
前記第１取得手段の処理の途中での前記撮像操作に応答して取得処理の引き継ぎを前記第２取得手段に要求する要求手段を備える、電子カメラ。
【請求項２】
前記第１取得手段は、前記Ｍ個の電子画像を内部メモリに取り込む画像取り込み手段、および前記Ｍ個の電子画像を前記内部メモリから記録媒体に転送する画像転送手段を含み、
前記要求手段は前記画像転送手段の処理と並列して前記撮像操作を検知する操作検知手段を含む、請求項１記載の電子カメラ。
【請求項３】
前記要求手段は前記第２取得手段の処理によって取得すべき電子画像の数を前記Ｎから前記Ｍを減算した値に設定する数値設定手段をさらに含む、請求項２記載の電子カメラ。
【請求項４】
撮像モードを前記第１撮像モードおよび前記第２撮像モードの間で切り換えるモード切り換えスイッチをさらに備える、請求項１ないし３のいずれかに記載の電子カメラ。
【請求項５】
撮像面で捉えられたシーンを表す電子画像を出力する撮像手段を備える電子カメラのプロセッサに、
第１撮像モードの下での撮像操作に応答してＭ個（Ｍ：１以上の整数）の電子画像を前記撮像手段から取得する第１取得ステップ、
第２撮像モードの下での前記撮像操作に応答してＮ個（Ｎ：Ｍを上回る整数）の電子画像を前記撮像手段から取得する第２取得ステップ、および
前記第１取得ステップの処理の途中での前記撮像操作に応答して取得処理の引き継ぎを前記第２取得ステップに要求する要求ステップを実行させるための、撮像制御プログラム。
【請求項６】
撮像面で捉えられたシーンを表す電子画像を出力する撮像手段を備える電子カメラによって実行される撮像制御方法であって、
第１撮像モードの下での撮像操作に応答してＭ個（Ｍ：１以上の整数）の電子画像を前記撮像手段から取得する第１取得ステップ、
第２撮像モードの下での前記撮像操作に応答してＮ個（Ｎ：Ｍを上回る整数）の電子画像を前記撮像手段から取得する第２取得ステップ、および
前記第１取得ステップの処理の途中での前記撮像操作に応答して取得処理の引き継ぎを前記第２取得ステップに要求する要求ステップを備える、撮像制御方法。
【請求項７】
撮像面で捉えられたシーンを表す電子画像を出力する撮像手段、および
メモリに保存された内部制御プログラムに従う処理を実行するプロセッサを備える電子カメラに供給される外部制御プログラムであって、
第１撮像モードの下での撮像操作に応答してＭ個（Ｍ：１以上の整数）の電子画像を前記撮像手段から取得する第１取得ステップ、
第２撮像モードの下での前記撮像操作に応答してＮ個（Ｎ：Ｍを上回る整数）の電子画像を前記撮像手段から取得する第２取得ステップ、および
前記第１取得ステップの処理の途中での前記撮像操作に応答して取得処理の引き継ぎを前記第２取得ステップに要求する要求ステップを前記内部制御プログラムと協働して前記プロセッサに実行させるための、外部制御プログラム。
【請求項８】
撮像面で捉えられたシーンを表す電子画像を出力する撮像手段、
外部制御プログラムを取り込む取り込み手段、および
前記取り込み手段によって取り込まれた外部制御プログラムとメモリに保存された内部制御プログラムとに従う処理を実行するプロセッサを備える電子カメラであって、
前記外部制御プログラムは、
第１撮像モードの下での撮像操作に応答してＭ個（Ｍ：１以上の整数）の電子画像を前記撮像手段から取得する第１取得ステップ、
第２撮像モードの下での前記撮像操作に応答してＮ個（Ｎ：Ｍを上回る整数）の電子画像を前記撮像手段から取得する第２取得ステップ、および
前記第１取得ステップの処理の途中での前記撮像操作に応答して取得処理の引き継ぎを前記第２取得ステップに要求する要求ステップを前記内部制御プログラムと協働して実行するプログラムに相当する、電子カメラ。
【発明の詳細な説明】
【技術分野】
【０００１】
この発明は、電子カメラに関し、特に撮像モードとして単写モードおよび連写モードが設けられた、電子カメラに関する。
【背景技術】
【０００２】
この種のカメラの一例が、特許文献１に開示されている。この背景技術によれば、１回の手動操作に応答して１回の撮影動作を行う単写モードと、１回の手動操作に応答して連続的に撮影動作を行う連写モードとが、撮像モードとして準備される。また、画像データの記録のために、２つの記録媒体が準備される。連写モードの下で撮影された画像データは、この２つの記録媒体に振り分けて記録される。
【先行技術文献】
【特許文献】
【０００３】
【特許文献１】特開２００７−２７４５３１号公報
【発明の概要】
【発明が解決しようとする課題】
【０００４】
しかし、背景技術によれば、撮像モードの切り換え操作や切り換え後の撮像モードの下での撮像操作は、現撮像モードの下で得られた画像データの記録が完了するまで制限される。このため、背景技術では操作性に限界がある。
【０００５】
それゆえに、この発明の主たる目的は、操作性を高めることができる、電子カメラを提供することである。
【課題を解決するための手段】
【０００６】
この発明に従う電子カメラ(10：実施例で相当する参照符号。以下同じ)は、撮像面で捉えられたシーンを表す電子画像を出力する撮像手段(16, 20, 34)、第１撮像モードの下での撮像操作に応答してＭ個（Ｍ：１以上の整数）の電子画像を撮像手段から取得する第１取得手段(S23~S25, S29)、第２撮像モードの下での撮像操作に応答してＮ個（Ｎ：Ｍを上回る整数）の電子画像を撮像手段から取得する第２取得手段(S35~S43)、および第１取得手段の処理の途中での撮像操作に応答して取得処理の引き継ぎを第２取得手段に要求する要求手段(S27, S33)を備える。
【０００７】
好ましくは、第１取得手段は、Ｍ個の電子画像を内部メモリ(32)に取り込む画像取り込み手段(S23)、およびＭ個の電子画像を内部メモリから記録媒体(42)に転送する画像転送手段(S25, S29)を含み、要求手段は画像転送手段の処理と並列して撮像操作を検知する操作検知手段(S27)を含む。
【０００８】
さらに好ましくは、要求手段は第２取得手段の処理によって取得すべき電子画像の数をＮからＭを減算した値に設定する数値設定手段(S33)をさらに含む。
【０００９】
好ましくは、撮像モードを第１撮像モードおよび第２撮像モードの間で切り換えるモード切り換えスイッチ(28md)がさらに備えられる。
【００１０】
この発明に従う撮像制御プログラムは、撮像面で捉えられたシーンを表す電子画像を出力する撮像手段(16, 20, 34)を備える電子カメラ(10)のプロセッサ(26)に、第１撮像モードの下での撮像操作に応答してＭ個（Ｍ：１以上の整数）の電子画像を撮像手段から取得する第１取得ステップ(S23~S25, S29)、第２撮像モードの下での撮像操作に応答してＮ個（Ｎ：Ｍを上回る整数）の電子画像を撮像手段から取得する第２取得ステップ(S35~S43)、および第１取得ステップの処理の途中での撮像操作に応答して取得処理の引き継ぎを第２取得ステップに要求する要求ステップ(S27, S33)を実行させるための、撮像制御プログラムである。
【００１１】
この発明に従う撮像制御方法は、撮像面で捉えられたシーンを表す電子画像を出力する撮像手段(16, 20, 34)を備える電子カメラ(10)によって実行される撮像制御方法であって、第１撮像モードの下での撮像操作に応答してＭ個（Ｍ：１以上の整数）の電子画像を撮像手段から取得する第１取得ステップ(S23~S25, S29)、第２撮像モードの下での撮像操作に応答してＮ個（Ｎ：Ｍを上回る整数）の電子画像を撮像手段から取得する第２取得ステップ(S35~S43)、および第１取得ステップの処理の途中での撮像操作に応答して取得処理の引き継ぎを第２取得ステップに要求する要求ステップ(S27, S33)を備える。
【００１２】
この発明に従う外部制御プログラムは、撮像面で捉えられたシーンを表す電子画像を出力する撮像手段(16, 20, 34)、およびメモリ(46)に保存された内部制御プログラムに従う処理を実行するプロセッサ(26)を備える電子カメラ(10)に供給される外部制御プログラムであって、第１撮像モードの下での撮像操作に応答してＭ個（Ｍ：１以上の整数）の電子画像を撮像手段から取得する第１取得ステップ(S23~S25, S29)、第２撮像モードの下での撮像操作に応答してＮ個（Ｎ：Ｍを上回る整数）の電子画像を撮像手段から取得する第２取得ステップ(S35~S43)、および第１取得ステップの処理の途中での撮像操作に応答して取得処理の引き継ぎを第２取得ステップに要求する要求ステップ(S27, S33)を内部制御プログラムと協働してプロセッサに実行させるための、外部制御プログラムである。
【００１３】
この発明に従う電子カメラ(10)は、撮像面で捉えられたシーンを表す電子画像を出力する撮像手段(16, 20, 34)、外部制御プログラムを取り込む取り込み手段(48)、および取り込み手段によって取り込まれた外部制御プログラムとメモリ(46)に保存された内部制御プログラムとに従う処理を実行するプロセッサ(26)を備える電子カメラであって、外部制御プログラムは、第１撮像モードの下での撮像操作に応答してＭ個（Ｍ：１以上の整数）の電子画像を撮像手段から取得する第１取得ステップ(S23~S25, S29)、第２撮像モードの下での撮像操作に応答してＮ個（Ｎ：Ｍを上回る整数）の電子画像を撮像手段から取得する第２取得ステップ(S35~S43)、および第１取得ステップの処理の途中での撮像操作に応答して取得処理の引き継ぎを第２取得ステップに要求する要求ステップ(S27, S33)を内部制御プログラムと協働して実行するプログラムに相当する。
【発明の効果】
【００１４】
第２モードの下での撮像操作に応答して取得される電子画像の数は第１モードの下での撮像操作に応答して取得される電子画像の数を上回るところ、第１モードの下での取得処理の途中で撮像操作が行われると、第２モードの下での取得処理が引き続き実行される。これによって、撮像モードの誤設定に起因する予期しない処理動作が速やかに修正され、操作性の向上が図られる。
【００１５】
この発明の上述の目的，その他の目的，特徴および利点は、図面を参照して行う以下の実施例の詳細な説明から一層明らかとなろう。
【図面の簡単な説明】
【００１６】
【図１】この発明の一実施例の基本的構成を示すブロック図である。
【図２】この発明の一実施例の構成を示すブロック図である。
【図３】図１実施例に適用されるＳＤＲＡＭのマッピング状態の一例を示す図解図である。
【図４】撮像面における評価エリアの割り当て状態の一例を示す図解図である。
【図５】（Ａ）は単写モードの下での図２実施例の動作の一例を示すタイミング図であり、（Ｂ）は連写モードの下での図２実施例の動作の一例を示すタイミング図である。
【図６】単写モードの下での処理から連写モードの下での処理に移行する場合の図２実施例の動作の一例を示すタイミング図である。
【図７】図２実施例に適用されるＣＰＵの動作の一部を示すフロー図である。
【図８】図２実施例に適用されるＣＰＵの動作の他の一部を示すフロー図である。
【図９】図２実施例に適用されるＣＰＵの動作のその他の一部を示すフロー図である。
【図１０】この発明の他の実施例の構成を示すブロック図である。
【発明を実施するための形態】
【００１７】
以下、この発明の実施の形態を図面を参照しながら説明する。
［基本的構成］
【００１８】
図１を参照して、この実施例の電子カメラは、基本的に次のように構成される。撮像手段１は、撮像面で捉えられたシーンを表す電子画像を出力する。第１取得手段２は、第１撮像モードの下での撮像操作に応答してＭ個（Ｍ：１以上の整数）の電子画像を撮像手段１から取得する。第２取得手段３は、第２撮像モードの下での撮像操作に応答してＮ個（Ｎ：Ｍを上回る整数）の電子画像を撮像手段１から取得する。要求手段４は、第１取得手段２の処理の途中での撮像操作に応答して取得処理の引き継ぎを第２取得手段３に要求する。
【００１９】
第２モードの下での撮像操作に応答して取得される電子画像の数は第１モードの下での撮像操作に応答して取得される電子画像の数を上回るところ、第１モードの下での取得処理の途中で撮像操作が行われると、第２モードの下での取得処理が引き続き実行される。これによって、撮像モードの誤設定に起因する予期しない処理動作が速やかに修正され、操作性の向上が図られる。
［実施例］
【００２０】
図２を参照して、この実施例のディジタルカメラ１０は、ドライバ１８ａおよび１８ｂによってそれぞれ駆動されるフォーカスレンズ１２および絞りユニット１４を含む。これらの部材を経た光学像は、イメージャ１６の撮像面に照射され、光電変換を施される。これによって、光学像に対応する電荷が生成される。
【００２１】
電源が投入されると、ＣＰＵ２６は、動画取り込みの実行をドライバ１８ｃ，前処理回路２０および後処理回路３４に命令し、動画表示の実行をＬＣＤドライバ３６に命令する。ドライバ１８ｃは、図示しないＳＧ(Signal Generator)から周期的に発生する垂直同期信号Ｖｓｙｎｃに応答して、撮像面を露光し、かつ撮像面で生成された電荷をラスタ走査態様で読み出す。イメージャ１６からは、読み出された電荷に基づく生画像データが周期的に出力される。
【００２２】
前処理回路２０は、イメージャ１６から出力された生画像データにディジタルクランプ，画素欠陥補正，ゲイン制御などの処理を施す。これらの処理を施された生画像データは、メモリ制御回路３０を通してＳＤＲＡＭ３２の生画像エリア３２ａ（図３参照）に書き込まれる。
【００２３】
後処理回路３４は、生画像エリア３２ａに格納された生画像データをメモリ制御回路３０を通して読み出し、読み出された生画像データに色分離処理，白バランス調整処理およびＹＵＶ変換処理を施す。これによって生成されたＹＵＶ形式の画像データは、メモリ制御回路３０によってＳＤＲＡＭ３２のＹＵＶ画像エリア３２ｂ（図３参照）に書き込まれる。
【００２４】
ＬＣＤドライバ３６は、ＹＵＶ画像エリア３２ｂに格納された画像データをメモリ制御回路３０を通して繰り返し読み出し、読み出された画像データに基づいてＬＣＤモニタ３８を駆動する。この結果、撮像面で捉えられたシーンを表すリアルタイム動画像（スルー画像）がモニタ画面に表示される。
【００２５】
図４を参照して、撮像面の中央には評価エリアＥＶＡが割り当てられる。評価エリアＥＶＡは水平方向および垂直方向の各々において１６分割され、２５６個の分割エリアが評価エリアＥＶＡを形成する。また、図２に示す前処理回路２０は、上述した処理に加えて、生画像データを簡易的にＹデータに変換する簡易Ｙ変換処理を実行する。
【００２６】
ＡＥ評価回路２２は、前処理回路２０によって生成されたＹデータのうち評価エリアＥＶＡに属するＲＧＢデータを、垂直同期信号Ｖｓｙｎｃが発生する毎に積分する。これによって、２５６個の積分値つまり２５６個のＡＥ評価値が、垂直同期信号Ｖｓｙｎｃに応答してＡＥ評価回路２２から出力される。ＡＦ評価回路２４は、前処理回路２０によって生成されたＹデータのうち評価エリアＥＶＡに属するＹデータの高周波成分を、垂直同期信号Ｖｓｙｎｃが発生する毎に積分する。これによって、２５６個の積分値つまり２５６個のＡＦ評価値が、垂直同期信号Ｖｓｙｎｃに応答してＡＦ評価回路２４から出力される。
【００２７】
キー入力装置２８に設けられたシャッタボタン２８ｓｈが非操作状態にあるとき、ＣＰＵ２６は、ＡＥ評価回路２２から出力された２５６個のＡＥ評価値に基づいて簡易ＡＥ処理を実行し、適正ＥＶ値を算出する。算出された適正ＥＶ値を定義する絞り量および露光時間はドライバ１８ｂおよび１８ｃに設定され、これによってスルー画像の明るさが大まかに調整される。
【００２８】
シャッタボタン２８ｓｈが半押しされると、ＣＰＵ２６は、ＡＥ評価回路２２から出力された２５６個のＡＥ評価値を参照した厳格ＡＥ処理を実行し、最適ＥＶ値を算出する。最適ＥＶ値を定義する絞り量および露光時間もまた、ドライバ１８ｂおよび１８ｃに設定される。これによって、スルー画像の明るさが厳格に調整される。
【００２９】
ＣＰＵ２６はまた、ＡＦ評価回路２４から出力された２５６個のＡＦ評価値に基づいてＡＦ処理を実行する。フォーカスレンズ１２は合焦点の探索のためにドライバ１８ａによって光軸方向に移動し、これによって発見された合焦点に配置される。この結果、スルー画像の鮮鋭度が向上する。
【００３０】
シャッタボタン２８ｓｈが全押しされると、ＣＰＵ２６は、動画表示の中止をＬＣＤドライバ３６に命令する。ＬＣＤモニタ３８の表示は、スルー画像から黒画像に更新される。撮像モードは、キー入力装置２８に設けられたモード切り換えスイッチ２８ｍｄの操作によって、単写モードおよび連写モードの間で切り換えられる。
【００３１】
シャッタボタン２８ｓｈが全押しされた時点で選択されていた撮像モードが単写モードであれば、ＣＰＵ２６は、静止画取り込み処理を１回だけ実行する。この結果、シャッタボタン２８ｓｈが全押しされた時点のシーンを表す１フレームの画像データがＹＵＶ画像エリア３２ｂから記録画像エリア３２ｃ（図３参照）に退避される。
【００３２】
これに対して、シャッタボタン２８ｓｈが全押しされた時点で選択されていた撮像モードが連写モードであれば、ＣＰＵ２６は、静止画取り込み処理を６回連続して実行する。この結果、シャッタボタン２８ｓｈの全押し後のシーンを表す６フレームの画像データがＹＵＶ画像エリア３２ｂから記録画像エリア３２ｃ（図３参照）に退避される。
【００３３】
静止画取り込み処理が完了すると、ＣＰＵ２６は、記録処理の実行をメモリＩ／Ｆ４０に命令する。メモリＩ／Ｆ４０は、記録画像エリア３２ｃに格納された１フレームまたは６フレームの画像データをメモリ制御回路３０を通して読み出し、読み出された画像データを個別に収めた単一の画像ファイルまたは６つの画像ファイルを記録媒体４２に記録する。動画表示は、メモリＩ／Ｆ４０による記録が完了した後に再開される。
【００３４】
したがって、厳格ＡＥ処理，ＡＦ処理，静止画取り込み処理および記録処理の一連の処理ならびに動画像または黒画像の表示処理は、単写モードの下でシャッタボタン２８ｓｈが操作されたときに図５（Ａ）に示す要領で実行される一方、連写モードの下でシャッタボタン２８ｓｈが操作されたときに図５（Ｂ）に示す要領で実行される。
【００３５】
また、単写モードの下で記録画像エリア３２ｃに退避された画像データの記録媒体４２への記録ないし転送が実行されている途中でシャッタボタン２８ｓｈが再度全押しされると、ＣＰＵ２６は、連写モードを設定すべきところ誤って単写モードが設定されているとみなし、不足する５フレームの画像データを連写モードの下で取得するべく、静止画取り込み処理を５回連続して実行する。この結果、シャッタボタン２８ｓｈの２回目の全押しの後のシーンを表す５フレームの画像データがＹＵＶ画像エリア３２ｂから記録画像エリア３２ｃ（図３参照）に退避される。
【００３６】
５フレームの画像データがこうして確保されると、ＣＰＵ２６は、記録処理の実行をメモリＩ／Ｆ４０に命令する。メモリＩ／Ｆ４０は、記録画像エリア３２ｃに確保された５フレームの画像データをメモリ制御回路３０を通して読み出し、読み出された画像データを個別に収めた５つの画像ファイルを記録媒体４２に記録する。動画表示は、メモリＩ／Ｆ４０による記録が完了した後に再開される。
【００３７】
したがって、厳格ＡＥ処理，ＡＦ処理，静止画取り込み処理および記録処理の一連の処理ならびに動画像または黒画像の表示処理は、単写モードの下での記録処理の途中でシャッタボタン２８ｓｈが再度全押しされたとき、図６に示す要領で実行される。
【００３８】
ＣＰＵ２６は、図７〜図９に示す撮影タスクを含む複数のタスクをマルチタスクＯＳの制御の下で並列的に実行する。なお、これらのタスクに対応する制御プログラムは、フラッシュメモリ４６に記憶される。
【００３９】
図７を参照して、ステップＳ１では動画取り込みを開始し、ステップＳ３では動画表示を開始する。ステップＳ１の処理の結果、撮像面で捉えられたシーンを表す生画像データがイメージャ１６から出力され、これに対応するＹＵＶ形式の画像データが後処理回路３４から出力される。また、ステップＳ３の処理の結果、後処理回路３４から出力された画像データに基づくスルー画像がＬＣＤモニタ３８に表示される。
【００４０】
ステップＳ５ではシャッタボタン２８ｓｈが半押しされたか否かを判別し、判別結果がＮＯである限り、ステップＳ７で簡易ＡＥ処理を繰り返す。この結果、スルー画像の明るさが大まかに調整される。ステップＳ５の判別結果がＮＯからＹＥＳに更新されると、ステップＳ９で厳格ＡＥ処理を実行し、ステップＳ１１でＡＦ処理を実行する。スルー画像の明るさは厳格ＡＥ処理によって厳格に調整され、スルー画像の鮮鋭度はＡＦ処理によって改善される。
【００４１】
ステップＳ１３ではシャッタボタン２８ｓｈが全押しされたか否かを判別し、ステップＳ１５ではシャッタボタン２８ｓｈの操作が解除されたか否かを判別する。ステップＳ１５の判別結果がＹＥＳであればステップＳ５に戻り、ステップＳ１３の判別結果がＹＥＳであればステップＳ１７で動画表示を中止する。ＬＣＤモニタ３８の表示は、ステップＳ１７の処理によってスルー画像から黒画像に更新される。
【００４２】
ステップＳ１９では、現撮像モードが単写モードおよび連写モードのいずれであるかを判別する。現撮像モードが単写モードであればステップＳ２３に進み、現撮像モードが連写モードであればステップＳ２１で変数Ｋを“１”に設定してからステップＳ３５に進む。
【００４３】
ステップＳ２３では静止画取り込みを実行し、ステップＳ２５では記録処理の実行をメモリＩ／Ｆ４０に命令する。ステップＳ２３の処理の結果、シャッタボタン２８ｓｈが全押しされた時点のシーンを表す１フレームの画像データがＹＵＶ画像エリア３２ｂから記録画像エリア３２ｃに退避される。また、ステップＳ２５の処理の結果、メモリＩ／Ｆ４０は、記録画像エリア３２ｃに格納された１フレームの画像データをメモリ制御回路３０を通して読み出し、読み出された画像データを収めた画像ファイルを記録媒体４２に記録する。
【００４４】
ステップＳ２７ではシャッタボタン２８ｓｈが全押しされたか否かを判別し、ステップＳ２９ではメモリＩ／Ｆ４０による記録処理が完了したか否かを判別する。ステップＳ２７の判別結果およびステップＳ２９の判別結果のいずれもがＮＯであればステップＳ２７に戻る。ステップＳ２７の判別結果がＹＥＳであればステップＳ３３で変数Ｋを“２”に設定してからステップＳ３５に進み、ステップＳ２９の判別結果がＹＥＳであればステップＳ３１で動画表示を再開してからステップＳ５に戻る。
【００４５】
ステップＳ３５では静止画取り込みを実行し、ステップＳ３７では変数Ｋが最大値Ｋｍａｘ（＝６）に達したか否かを判別する。判別結果がＮＯであれば、ステップＳ３９で変数Ｋをインクリメントし、その後にステップＳ３５に戻る。判別結果がＹＥＳであれば、ステップＳ４１で記録処理の実行をメモリＩ／Ｆ４０に命令する。
【００４６】
ステップＳ３５の処理は、ステップＳ２１からステップＳ３５に移行したときに６回連続して実行され、ステップＳ３３からステップＳ３５に移行したときに５回連続して実行される。これによって、６フレームまたは５フレームの画像データがＹＵＶ画像エリア３２ｂから記録画像エリア３２ｃに退避される。
【００４７】
ステップＳ４１で記録処理の実行を命令されたメモリＩ／Ｆ４０は、こうして退避された６フレームまたは５フレームの画像データをメモリ制御回路３０を通して読み出し、読み出された画像データを個別に収めた６個または５個の画像ファイルを記録媒体４２に記録する。ステップＳ４３では、ステップＳ４１で発行された命令に従う記録処理が完了したか否かを繰り返し判別する。判別結果がＮＯからＹＥＳに更新されると、ステップＳ４５で動画表示を再開し、その後にステップＳ５に戻る。
【００４８】
以上の説明から分かるように、イメージャ１６は、撮像面で捉えられたシーンを表す生画像データを出力する。出力された生画像データは、前処理回路２０および後処理回路３４の処理を経てＹＵＶ形式の画像データに変換される。ＣＰＵ２６は、単写モードの下でのシャッタボタン２８ｓｈの全押しに応答して１フレームの画像データを取得し(S23~S25, S29)、連写モードの下でのシャッタボタン２８ｓｈの全押しに応答して６フレームの画像データを取得する(S35~S43)。ＣＰＵ２６はまた、単写モードの下での画像データの記録処理の途中でシャッタボタン２８ｓｈが操作されたとき、撮像モードが誤設定されたとみなし、不足する５フレームの画像データを取得するべく連写モードの下での取得処理に移行する(S27, S33)。この結果、取得処理は単写モードから連写モードに引き継がれる。
【００４９】
連写モードの下でのシャッタボタン２８ｓｈの操作に応答して取得される画像データのフレーム数は単写モードの下でのシャッタボタン２８ｓｈの操作に応答して取得される画像データのフレーム数を上回るところ、単写モードの下での取得処理の途中でシャッタボタン２８ｓｈが操作されると、連写モードの下での取得処理が引き続き実行される。これによって、撮像モードの誤設定に起因する予期しない処理動作が速やかに修正され、操作性の向上が図られる。
【００５０】
なお、この実施例では、単写モードの下での取得処理の途中でシャッタボタン２８ｓｈが操作されたとき、連写モードの下で５フレームの画像データを取得するようにしている。しかし、取得処理が単写モードから連写モードに引き継がれたときにも６フレームの画像データを連写モードの下で取得するようにしてもよい。
【００５１】
また、この実施例では、撮像モードとして単写モードおよび連写モードを設け、単写モードの下で１フレームの画像データを取得するとともに、連写モードの下で６フレームの画像データを取得するようにしている。しかし、取得するフレーム数が互いに異なる２つの連写モードを設け、一方の連写モードの下での取得処理の途中でシャッタボタン２８ｓｈが操作されたときに他方の連写モードに取得処理の引き継ぎを要求するようにしてもよい。
【００５２】
なお、この実施例では、マルチタスクＯＳおよびこれによって実行される複数のタスクに相当する制御プログラムは、フラッシュメモリ４６に予め記憶される。しかし、図１０に示すように通信Ｉ／Ｆ４８をディジタルカメラ１０に設け、一部の制御プログラムを内部制御プログラムとしてフラッシュメモリ４６に当初から準備する一方、他の一部の制御プログラムを外部制御プログラムとして外部サーバから取得するようにしてもよい。この場合、上述の動作は、内部制御プログラムおよび外部制御プログラムの協働によって実現される。
【００５３】
また、この実施例では、ＣＰＵ２６によって実行される処理を上述の要領で複数のタスクに区分するようにしている。しかし、各々のタスクをさらに複数の小タスクに区分してもよく、さらには区分された複数の小タスクの一部を他のタスクに統合するようにしてもよい。また、各々のタスクを複数の小タスクに区分する場合、その全部または一部を外部サーバから取得するようにしてもよい。
【符号の説明】
【００５４】
１０  …ディジタルカメラ
１６  …イメージャ
２０  …前処理回路
２６  …ＣＰＵ
２８  …キー入力装置
３２  …ＳＤＲＡＭ
３４  …後処理回路
【図１】
2014143604.tif 000003
【図２】
2014143604.tif 000004
【図３】
2014143604.tif 000005
【図４】
2014143604.tif 000006
【図５】
2014143604.tif 000007
【図６】
2014143604.tif 000008
【図７】
2014143604.tif 000009
【図８】
2014143604.tif 000010
【図９】
2014143604.tif 000011
【図１０】
2014143604.tif 000012